(57)【要約】【課題】構成が簡素でかつ使い勝手がより向上されてなる体重体組成計を提供する。【解決手段】体重体組成計１００は、体重測定の対象となる生物を載せる架台、体重体組成計１００の本体部２に対して着脱可能に設けられ、当該体重体組成計１００で生成された生体情報を表示する表示ユニット１を備え、当該表示ユニット１が、異なる時点で生成された生体情報を蓄積するメモリ３と、外部との接続及び情報通信用のインタフェイスポート４とを備えており、当該表示ユニット１を駆動する電力がインタフェイスポート４を介して、表示ユニット１外から供給される。【選択図】図１
2010187921.tif 000002
【特許請求の範囲】
【請求項１】
体重測定の対象となる生物を載せる架台を有する体重体組成計であって、
体重体組成計の本体部に対して着脱可能に設けられ、当該体重体組成計で生成された生体情報を表示する表示ユニットを備え、
上記表示ユニットが、異なる時点で生成された上記生体情報を蓄積する記憶部と、外部との接続及び情報通信用のインタフェイス部とを備えており、
上記表示ユニットを駆動する電力が上記インタフェイス部を介して、当該表示ユニット外から供給される、体重体組成計。
【請求項２】
上記生体情報が、少なくとも生物の体重を示す情報である、請求項１に記載の体重体組成計。
【請求項３】
上記生体情報が、
生物の体重を示す情報と、
生物の体脂肪の量を示す情報、生物の内蔵脂肪の量を示す情報、生物の体年齢を示す情報、基礎代謝量、及びＢＭＩ（Ｂｏｄｙ  Ｍａｓｓ  Ｉｎｄｅｘ）から選択される少なくとも１種の情報と、である請求項１に記載の体重体組成計。
【請求項４】
上記表示ユニットが、上記生体情報を生成する機能を有しない、請求項１から３の何れか一項に記載の体重体組成計。
【発明の詳細な説明】
【技術分野】
【０００１】
本発明は、体重体組成計に関する。
【背景技術】
【０００２】
健康への意識が高く健康の維持増進を願う人は、日々の活動運動量を確認するため歩数計を持ち歩くことは日常のこととなっており、活動運動の結果として、体重体組成計で、体重や体脂肪率等の体組成を測定し、体重や体脂肪率等の低減や維持管理を行なっている。また、健康の維持増進の目的、及び各種体組成を測定するモチベーションを持続させる目的で、測定値を一定量蓄積し、過去の測定値などを呼び出せる機能付きの体重体組成計も各社から発売されている。
【０００３】
例えば、特許文献１には、体重を表示する表示ユニットが体重を計る本体より着脱可能に構成された体重計が記載されている（従来構成１と称する）。表示ユニットと本体とが、無線又は有線により接続されて、本体から表示ユニットへ情報を送信可能となっている。
【０００４】
また、特許文献２には、体重計と、当該体重計に組み込まれる体脂肪計とを備える体脂肪率測定システムが記載されている（従来構成２と称する）。ここで、体脂肪計は、体脂肪測定用の電極、体重計で測定された体重データを入力するデータ入力手段、及び各種データを表示する表示ユニットを有しており、体重計に対して着脱可能に構成されている。
【０００５】
これら特許文献１及び２に記載の技術は、端的には、表示ユニットを着脱可能とし、表示ユニットにおける表示の確認や、表示ユニットに対する操作を容易とするための技術である。
【０００６】
一方で、近年の、一般家庭へのパーソナルコンピュータ（以下、ＰＣと称する）の普及は目覚しいものがあり、市販されているＰＣの中には、表計算ソフトがプリインストールされたモデルや、インタネット経由で無償表計算ソフトが入手可能であり、ＰＣを用いた家庭内でのデータ処理が出来るものもある。
【０００７】
このような、体重体組成計の一例として、取得した体重或いは体組成などの生体情報を加工して、加工データと被測定者へのメッセージとを表示ユニットへ表示するものが知られている。また、当該体重体組成計では、内部のメモリに生体情報を蓄えることで、一定量の過去分の生体情報を表示することも可能である。しかし、体重体組成計を小型化する要求からその表示ユニットも小型化される傾向にあり、表示方法には工夫を凝らしてはいるが、過去からの経緯（例えば、生体情報の経時的な変化）を知りたいときなどにはグラフ化データの表示等に不向きである場合が多い。
【０００８】
そこで、体重体組成計内部のメモリに蓄積された生体情報の取り出し方法として、当該体重体組成計とセットで販売される歩数計を介して、生体情報をＰＣへ取り込むシステムが発売されている。より具体的には、体重体組成計に歩数計をセットすることで、体重体組成計内の生体情報を歩数計の内部メモリへ読み出し、次いで、歩数計をＰＣへセットすることで当該生体情報をＰＣに取り込むことを可能にするものが知られている（従来構成３と称する）。
【先行技術文献】
【特許文献】
【０００９】
【特許文献１】特開平１−２４４３２０号公報（１９８９年９月２８日公開）
【特許文献２】特開平１１−３３２８４６号公報（１９９９年１２月７日公開）
【発明の概要】
【発明が解決しようとする課題】
【００１０】
しかしながら、上述の従来構成１に係る技術では、表示ユニットと本体とを分離して無線で通信する場合等に、表示ユニットにも電池等の表示回路用の電源が必要となる。その結果、従来構成１は、本体用の電源と併せて２系統の電源回路を持たねばならず、製造経費・製造工程等の負担が大きくなるという問題点を有する。
【００１１】
また、従来構成１では、仮に本体内にメモリを搭載していても、表示ユニットにはデータ用のメモリが搭載されていない。さらに、本体内のメモリに格納されたデータの入出力インタフェイスも持たないので、当該メモリに蓄積されたデータを外部へ取り出すことができず、また一定のデータ量が蓄積されると古いデータから順次上書きされて、過去データを読み出すことが不可能となる。このように、従来構成１では、上述したような自らの健康維持管理に邁進、努力精進しようとする人には物足りなさが残るという問題点を有する。
【００１２】
上述の従来構成２に係る技術では、表示ユニットとしても機能する体脂肪計は、体重計から取り外して使用可能なように独自の電源回路を有しなければならない。すなわち、従来構成２でも、従来構成１と同様に、体重計用の電源と体脂肪計用の電源との２系統の電源回路を持たなければならず、製造経費・製造工程等の負担が大きくなるという問題点を有する。
【００１３】
また、従来構成２では、体脂肪計がメモリ（記憶部）を搭載することが記載されているものの、当該メモリは、身体データや、体脂肪計を構成する電極間の電位差を記憶する旨が記載されているのみであり、経時的なデータを蓄積することができる旨の記載はない。すなわち、従来構成２でも、自らの健康維持管理に邁進、努力精進しようとする人には物足りなさが残るという問題点を有する。
【００１４】
上述の従来構成３に係る技術では、体重体組成計内のデータをＰＣへ取り込むために、歩数計（すなわち体重組成計以外の構成）を介さなければならないという煩雑な作業が必要である。加えて、例えば、家人が該歩数計を持ち出し使用していると、体重体組成計内のデータをＰＣへ取り出すことすらできなくなり、自らの健康維持管理に邁進、努力精進しようとする人のモチベーションを低下させるという問題があった。
【００１５】
本発明は、上記の問題点に鑑みてなされたものであり、その目的は、構成が簡素でかつ使い勝手がより向上されてなる体重体組成計を提供することにある。
【課題を解決するための手段】
【００１６】
上記の課題を解決するために、本発明に係る体重体組成計は、体重体組成計の本体部に対して着脱可能に設けられ生体情報を表示する表示ユニットを備え、表示ユニットが、異なる時点での生体情報を蓄積する記憶部と、外部との接続及び情報通信用のインタフェイス部とを備えており、表示ユニットを駆動する電力がインタフェイス部を介して表示ユニット外から供給されることを特徴としている。
【００１７】
上記の構成によれば、表示ユニットが体重体組成計の本体部より着脱可能なので、本体部から取り外した表示ユニットを、インタフェイス部を介して外部の情報処理装置等に接続して、表示ユニットと情報処理装置等との間の情報通信を行なうことが出来る。また、表示ユニットを駆動する電力が表示ユニット外（ＰＣ他の情報処理装置等、又は体重体組成計の本体部）から供給されるため、表示ユニットに独自の電源を設ける必要もない。
【００１８】
すなわち、体重体組成計の本体部と表示ユニットとは着脱可能であるが、これらを駆動する電源を本体部のみに設ければよいので、体重体組成計の構成を簡素化及び小型化することができる。加えて、体重体組成計の製造経費の低減をはかり、かつその製造工程を簡略化することができる。
【００１９】
さらに、表示ユニットが異なる時点での生体情報を蓄積することができるため、体重体組成計の操作者が、例えば自らの生体情報の経時的な変化を把握することが出来る。また、操作者は、表示ユニットを介して、これら生体情報を外部の情報処理装置等に容易に取り出し、情報の加工を行なうことが出来る。加えて、体重体組成計の構成の一部である表示ユニットをリムーバブルメディアの如く利用するため、体重体組成計以外の構成を利用する場合と比較して、蓄積された生体情報を外部に取り出す操作が容易で、かつ、必要な場合に何時でも確実に生体情報を取り出すことができる。これにより、生体情報の測定対象となる生物（特に操作者自身）の健康維持管理の増進に寄与することができる。
【００２０】
本発明に係る体重体組成計では、上記生体情報が少なくとも生物の体重情報であることが好ましく、さらには、当該生体情報が、生物の体重情報と、生物の体脂肪の量を示す情報、生物の内蔵脂肪の量を示す情報、生物の体年齢を示す情報、基礎代謝量、及びＢＭＩから選択される少なくとも１種の情報と、であることがより好ましい。
【００２１】
本発明に係る体重体組成計は、上記表示ユニットが生体情報を生成する機能を有しないことがより好ましい。
【００２２】
上記の構成によれば、生体情報を生成するための手段を表示ユニット側に設ける必要がないため表示ユニットの構成がより簡素化される。これにより、当該表示ユニットを、生体情報を蓄積したリムーバブルメディアの如く利用する際の使い勝手がより向上する。また、生体情報を生成するための手段（例えば、体脂肪測定用のセンサ等）が表示ユニット側にないため、外部との接続及び情報通信の目的以外で、表示ユニットを本体部から取り外して使用する可能性が低減され、その結果、表示ユニットが紛失等する虞がより一層低減される。
【発明の効果】
【００２３】
本発明に係る体重体組成計では、表示ユニットが体重体組成計の本体部より着脱可能なので、本体部から取り外した表示ユニットを、インタフェイス部を介して外部の情報処理装置等に接続して情報通信を行なうことが出来る。また、表示ユニットに独自の電源を設ける必要がなく、体重体組成計の構成を簡素化及び小型化することができ、加えて、体重体組成計の製造経費の低減をはかり、かつその製造工程を簡略化することができる。
【００２４】
さらに、表示ユニットが、異なる時点での生体情報を蓄積するため、体重体組成計の操作者が、例えば自らの生体情報の経時的な変化を把握することができ、また、体重体組成計の構成の一部である表示ユニットをリムーバブルメディアの如く利用するため、体重体組成計以外の構成を利用する場合と比較して、蓄積された生体情報を外部に取り出す操作が容易で、かつ、必要な場合に何時でも確実に生体情報を取り出すことができる。
【図面の簡単な説明】
【００２５】
【図１】本発明の一実施形態に係る体重体組成計の概略構成を示すブロック図である。
【図２】図１に示す体重体組成計において、表示ユニットを本体部から取り外した状態を示す斜視図である。
【図３】図１に示す体重体組成計の外観を示す斜視図である。
【発明を実施するための形態】
【００２６】
〔実施の形態１〕
本発明に係る体重体組成計の一実施形態について、図１から図３に基づいて説明すれば以下の通りである。
【００２７】
（用語の定義）
本発明において「体重体組成計」とは、少なくとも生物の体重を測定する機能を持つ測定器を指し、好ましくは、生物の体重を示す情報以外にも、生物（ヒトを含む動物）の体脂肪の量を示す情報、生物（ヒトを含む動物）の内蔵脂肪の量を示す情報、生物（ヒトを含む動物）の体年齢を示す情報、「基礎代謝量」、及び「ＢＭＩ（Ｂｏｄｙ  Ｍａｓｓ  Ｉｎｄｅｘ）」、等の体重以外の体組成に係る情報を生成する機能を持つ測定器を指す。ここで、「生物の体重を示す情報」とは、体重、又は体重に換算する前の測定値の生データの情報を指す。また、生物の「体脂肪の量を示す情報」とは、例えば、体脂肪率、体脂肪の重量、体脂肪の厚さ、又は体脂肪率に換算する前の測定値の生データ（例えば、生物の導電率等）の情報を指し、好ましくは体脂肪率である。生物の「内蔵脂肪の量を示す情報」とは、例えば、内蔵脂肪率、内臓脂肪の重量、内臓脂肪の厚さ、又は内蔵脂肪率に換算する前の測定値の生データ（例えば、生物の特定部位の導電率等）の情報を指し、好ましくは内蔵脂肪率である。生物の体年齢を示す情報とは、例えば、測定された「基礎代謝量」から割り出した相当する年齢の情報を指す。また、基礎代謝量とは基礎代謝基準値に体重を乗じた値を指し、ＢＭＩとは体重を身長の二乗で除した値を指す。
【００２８】
本発明では、「生物の体重を示す情報」、「生物の体脂肪の量を示す情報」、「生物の内蔵脂肪の量を示す情報」、「生物の体年齢を示す情報」、「基礎代謝量」、及び「ＢＭＩ」等の、体重体組成計を介して取得（算出も含む）される生物の状態に係る情報を総称して「生体情報」と称する。
【００２９】
なお、本発明において、「生物」とは、植物及び動物を指すが、好ましくはヒトを含む哺乳動物であり、哺乳動物の中でもウシ、ウマ、ブタ、ヒツジ、ヤギ等の家畜；イヌ、ネコ等の愛玩動物（ペット）；及びヒト；がより好ましく、ヒトが特に好ましい。
【００３０】
（体重体組成計の概要）
図１は、本実施の形態に係る体重体組成計１００の概略構成を示すブロック図であり、図２及び図３は、本実施の形態に係る体重体組成計１００の外観を示す斜視図である。
【００３１】
体重体組成計１００は、端的には、表示ユニット１と、当該表示ユニット１が装着される本体部２とから構成されている。
【００３２】
表示ユニット１は、液晶表示素子等で構成される表示部６及び複数の操作ボタン１３が上面に形成された矩形状の筐体と、当該筐体にケーブル２５を介して接続されたインタフェイスポート（インタフェイス部）４と、を備えてなる。インタフェイスポート４は、ＵＳＢ(Universal Serial Bus)端子等の標準インタフェイスを持つ。なお、本願においてインタフェイス（interface）という語は、インターフェイス及びインターフェースと同義で用いる。
【００３３】
本体部２は、体重の測定対象となる生物が載せられる架台２３と、上面にて架台２３を支持する土台部２４と、土台部２４の底面に配された複数の脚部２２とを備える。架台２３は、生物体内の導電率を測定するための複数の電極板２１を備え、生物が複数の電極板２１上に接するように載ると、当該生物の導電率が測定される。体重体組成計１００は、測定された導電率と体重とから体脂肪率を算出する。
【００３４】
本体部２はさらに、表示ユニット１を本体部２に着脱するための着脱ボタン１２を備える。また、架台２３及び本体部２には、当該架台２３から本体部２の底部近傍までを貫くように矩形状にくり貫いた収納部１１が形成されている。ここで、収納部１１の大きさは、当該収納部１１内に、表示ユニット１がはまり込んで、ちょうど収納できる大きさに形成されている。
【００３５】
そして、体重体組成計１００の操作者が、着脱ボタン１２を押しながら表示ユニット１を収納部１１内に押し込んだ場合には、図３に示すように、表示ユニット１の上面と架台２３の上面とが同じ高さとなって、表示ユニット１が本体部２に装着される。このとき、表示ユニット１の下方には所定の大きさの収納スペースが確保され、当該収納スペース内に、表示ユニット１が備えるケーブル２５及びインタフェイスポート４が収納される。図３に示す状態では、表示ユニット１が備えるインタフェイスポート４は、本体部２に設けられたインタフェイスポート（ＵＳＢ  Ｉ／Ｆ等）に接続されており、後述するように、本体部２と表示ユニット１との間の情報のやり取り、及び本体部２から表示ユニット１に対する電力の供給が行われる。
【００３６】
一方、体重体組成計１００の操作者が、着脱ボタン１２を押した場合、図２に示すように、表示ユニット１は本体部２から取り外される。なお、体重測定の対象となる生物がヒトの場合、体重体組成計１００の上記操作者は、体重測定の対象となるヒトと同じ者である場合もある。
【００３７】
着脱ボタン１２は、表示ユニット１側に設けることもできる。しかし、本実施の形態のように、着脱ボタン１２を本体部２側に設ければ、表示ユニット１の機構スペースを有利にし、表示ユニット１の小型化を実現することが容易となる。また、表示ユニット１の小型化を実現するために、操作ボタン１３を本体部２側に設けてもよい。
【００３８】
（体重体組成計１００の使用状態の一例）
以下、使用時における体重体組成計１００の動作について、図１から図３に基づき具体的に説明する。なお、体重体組成計１００が、ヒトの体重及び体脂肪率を生体情報として生成する場合を例に挙げる。
【００３９】
図２に示すように、表示ユニット１は、その筐体内に、インタフェイス制御部５、及びメモリ（記憶部）３をさらに備えている。また、本体部２（より具体的には土台部２４内に）は、本体部２と表示ユニット１とに共通の電源部１０、体重体組成計制御部９、データ演算部８、及び、表示制御部７をさらに備える。
【００４０】
体重体組成計１００は、脚部２２により水平な床に設置して利用される。例えば、図３に示す状態において、測定対象たるヒトの両足が複数の電極板２１上に載ると、体重体組成計１００に備えられた本体各センサ２９（体重センサ（歪みゲージ等）、体脂肪センサなど）が、ヒト体内の導電率、及びヒトの体重に応じた歪みゲージの出力を検出する。各センサ２９の動作はいずれも、体重体組成計制御部９により制御される。本体部２では、各センサ２９が検出した測定データを電気信号として、体重体組成計制御部９を通じてデータ演算部８へ送信する。
【００４１】
データ演算部８は、所定の演算関数を用いて、体重体組成計制御部９より受け取った測定データの演算処理をする。より具体的には、データ演算部８は、演算処理によって、例えば、ヒトの体重及び体脂肪率を生成し、また必要に応じて、予めメモリ３に格納されている体重や体脂肪率の目標値との比較、体重や体脂肪率の過去データとの比較、或いは当該目標値に対する進捗状況などを示す情報を生成する。なお、データ演算部８での演算処理により生じたこれら情報を総括して「演算処理後情報」と称する場合もある。
【００４２】
次いで、データ演算部８は、算出した体重及び体脂肪率等の数値（演算処理後情報）と当該数値に付随する情報（付随情報）とを、表示制御部７、及び表示ユニット１に備えられたメモリ３に出力する。ここで「当該数値に付随する情報（付随情報）」とは、特に限定されないが、数値を算出した日時や時刻に係る情報（日時情報）、各センサ２９が測定した測定データそのもの（演算処理前の生データ）、を指す。
【００４３】
表示制御部７は、データ演算部８から出力される情報の中から、表示部６に表示する情報を決定する手段である。表示制御部７の動作は、操作者による操作ボタン１３への入力に基づいて制御される。操作ボタン１３は、体重測定の対象となるヒトの年齢、身長、及び性別等の情報入力、体重や体脂肪率等の目標値の情報入力、或いは、表示すべき情報の選択等のメニュー操作を受付ける。例えば、操作者による操作ボタン１３の入力が体重又は体脂肪率の一方のみの表示を指示する場合は、表示部６は体重又は体脂肪率の一方のみを表示する。操作者による操作ボタン１３の入力が体重及び体脂肪率の双方の表示を指示する場合は、表示部６は体重及び体脂肪率を表示する。
【００４４】
なお、表示ユニット１内のメモリ３は、データ演算部８から送信されてくるデータ（例えば、上記「演算処理後情報」及び上記「付随情報」）が格納され、一定期間内に取得された当該データが時系列で蓄積される。すなわち、メモリ３は、異なる時点で生成された生体情報を蓄積し保持する。そのため、メモリ３に格納された情報を利用して、経時的な生体情報の変化を把握することが出来る。
【００４５】
以上のように、体重体組成計１００の一例では、生体情報を生成する機能はすべて本体部２に集約されており、表示ユニット１は生体情報を生成する機能を一切持たない。
【００４６】
（表示ユニット１に格納されたデータの外部取り出し）
表示ユニット１のインタフェイスポート４は、ＰＣ（図示せず）等の外部機器（情報処理装置等）が備える標準インタフェイスポートに接続可能である。これにより、表示ユニット１とＰＣとの間で通信が可能となり、例えば、メモリ３内に格納されたデータをＰＣに供給し、当該データをＰＣで加工したり、或いはＰＣで加工したデータをメモリ３に格納したりすることが出来る。すなわち、表示ユニット１は、体重体組成計１００に不可欠な構成であると同時に、リムーバブルメディアの如き機能も果たす。また、インタフェイスポート４を構成するＵＳＢ Ｉ／Ｆは、ＰＣ周辺機器に見られるＵＳＢ接続機器と同様に電源ラインを具備しており、表示ユニット１へはＰＣから電力供給される。よって、表示ユニット１は、電池のような独自の電源を備える必要がない。
【００４７】
また、本体部２のデータ演算部８に格納されたものと略同一機能を持つソフトウェアをＣＤ−ＲＯＭに格納して配布すれば、当該ソフトウェアをＰＣにインストールすることで、本体部２に接続されている状態の表示ユニット１と略同一のＧＵＩ（Graphical User Interface）をＰＣのモニタ上に表示等することができる。或いは、ＰＣ用ソフト独自のＧＵＩをＰＣモニタ上に表示すること、表計算ソフトを使ってユーザーオリジナルのグラフなどを作成すること、及び、データをＰＣ内のストレージに移動（ムーブ）やコピーすることなどが可能となる。また、操作者が、操作ボタン１３により入力していた情報も、ＰＣ側から入力することが可能となる。
【００４８】
或いは、表示ユニット１に小規模の表示制御回路（図示せず）を設けてもよく、この場合は、表示ユニット１とＰＣとを接続した状態で、表示部６に簡単なＧＵＩを表示することも可能である。
【００４９】
また、外部機器としてＰＣを使用する代わりに、表示ユニット１と接続可能な専用ステーション（図示せず）を設けてもよい。当該専用ステーションは、能動的動作のための電源回路；表示ユニット１と同規格のインタフェイスを持ち、メモリ３内に蓄積されたデータを移動、又はコピーできるように、リムーバブルメディアスロット或いは大容量ストレージ；を備える。また、該専用ステーションに様々な機能（例えば本体部２と同機能）、及びインタフェイス（例えばビデオ出力）を持たせれば、ＧＵＩをテレビ画面で見ることも可能となるようにシステム化できる。
【００５０】
なお、既存のリムーバブルメディア（例えばＳＤカードなど）用スロットを体重体組成計に設け、当該メディアにデータ蓄積する技術が仮に創作されたとしても、本願発明とは異なり以下の問題点（１）（２）を有する。（１）別途メディアリーダーライター等を設ける必要が生じる、（２）体重体組成計に比較してメディア体格が矮小過ぎるため、体重体組成計が床に設置される場合に、メディア用スロットに対するメディアの挿抜操作が行い難い。体重体組成計の本体部から着脱可能な部材（ハンドル機構等）にメディア用スロットを設けてメディアの挿抜操作を改善することも考えられるが、この場合でも別途メディアリーダーライターが必要であり、ハンドル機構が本体から分離可搬自在となっても、大きすぎて持ち運びや机上での使用等には問題が生じうる。
【００５１】
本発明に係る体重体組成計は、以上のように、人体（ヒト）が架台に直接載ることにより、体重あるいは体重および体組成が測定できるいわゆる体重体組成計において、体重体組成計本体で生成された生体情報（たとえば、体重、内蔵脂肪レベル、体年齢など）が表示可能な表示部ユニット（表示ユニット１に相当）が体重体組成計本体より着脱自在であり、該生体情報が一定期間分蓄積、格納されるメモリ機能が表示部ユニットに内蔵されており、着脱自在な表示部ユニットにはパーソナルコンピュータ（ＰＣ）や専用ステーションから電力供給が可能な標準インタフェイス（例えばＵＳＢ規格）を持ち、該インタフェイスを経由して、該メモリ機能に蓄積されたデータをＰＣへ取り出したり、ＰＣから表示部ユニット内のメモリにデータを書き込めたりできる構成であってもよい。
【００５２】
上記の構成によれば、生体情報が一定期間分蓄積、格納されるメモリ機能と標準インタフェイス（例えばＵＳＢ規格）とを持つ表示部ユニットが、体重体組成計本体より着脱自在なので、インタフェイスを介して表示部ユニットをＰＣ等の外部機器に接続して、当該表示部ユニットに蓄積されたデータをＰＣに取り込むことができる。或いは、これとは逆に、ＰＣで処理したデータや、ＰＣ内に格納又は入力されたデータを、表示部ユニットに取り込むことができる。これにより、例えば、自らのデータ（生体情報）をＰＣでグラフ化して分析することなどが容易となる。また、ＰＣのキーボードを使って、表示部ユニットのメモリに対して体重目標値などを入力することなども容易となる。よって、健康維持増進活動のモチベーションを継続しやすくなるとともに、体重体組成計の使い勝手の向上と、表示部ユニットが着脱可能という新たな商品訴求により、体重体組成計の普及を加速させ、健康維持の促進に寄与することができる。
【００５３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５４】
本発明は、例えば、家庭及び医療保険機関等で、健康維持増進を目的に用いられる体重体組成計として利用することができる。
【符号の説明】
【００５５】
１      表示ユニット
２      本体部
３      メモリ（記憶部）
４      インタフェイスポート（インタフェイス部）
２３    架台
１００  体重体組成計
【図１】
2010187921.tif 000003
【図２】
2010187921.tif 000004
【図３】
2010187921.tif 000005